(57)【特許請求の範囲】
【請求項１】
部屋の開口部に吊戸レールを介して設置されたアウトセット引き戸の戸袋構造であって、
前記アウトセット引き戸と、
開口部に設置された前記アウトセット引き戸を吊り下げる吊戸レールと、
前記吊戸レールの上端部よりも背丈が高く、アウトセット引き戸の戸尻側の壁面に沿って配設された収納体とで構成され、
前記収納体の天板は、収納体の幅方向又は奥行き方向に張り出しており、前記天板の張り出した側の端面は、前記吊戸レールを取り付けた壁面に当接し、且つ前記壁面と収納体の側面又は背面との間の間隔が前記アウトセット引き戸を収納する幅に形成されると共に、
前記アウトセット引き戸の戸尻部側において、前記アウトセット引き戸を収納できる間隔を設け、開口部と収納体との間で露出した壁面に沿って該壁面を覆う袖壁を更に配置する、ことを特徴とする戸袋構造。
【請求項２】
部屋の開口部に吊戸レールを介して設置されたアウトセット引き戸の戸袋構造であって、
前記アウトセット引き戸と、
開口部に設置された前記アウトセット引き戸を吊り下げる吊戸レールと、
前記吊戸レールの上端部までの背丈とほぼ同じ背丈を有し、アウトセット引き戸の戸尻側の壁面に沿って配設された収納体とで構成され、
前記収納体の天板は、収納体の幅方向に張り出しており、前記天板の張り出した側の端面は、前記吊戸レールの側面に当接し、且つ前記壁面と収納体の側面との間の間隔が前記アウトセット引き戸を収納し、且つ収納体の前扉が開閉できる幅に形成されることを特徴とする戸袋構造。
【請求項３】
前記アウトセット引き戸の戸尻部側において、前記アウトセット引き戸を収納できる間隔を設け、開口部と収納体との間で露出した壁面に沿って該壁面を覆う袖壁を更に配置することを特徴とする請求項２に記載の戸袋構造。
【発明の詳細な説明】
【技術分野】
【０００１】
本発明は、住宅の部屋と部屋又は部屋と廊下等との開口部に設置するアウトセット引き戸の戸袋構造に関する。
【背景技術】
【０００２】
高齢者用住宅・施設では、部屋の開口部を広く確保することや、バリアフリーの観点から、扉を引き戸（特に扉を上部で吊る方式の引き戸）とすることが主流となっている。スペースの有効活用や、居住者の安全面に配慮するために扉を壁の中に引き込む戸袋が多く採用されているが、高齢者施設では壁厚が薄いため、戸袋を設けるにはスチール枠を用いなければならず、施工の手間やコストが高くなるという不具合が発生する。
【０００３】
そこで、省施工を目的として、引き戸をアウトセット方式とすることも考えられるが、その際には、戸袋がないために引き戸から一定の距離を置かなければ収納家具を設置することができない。この場合に、収納家具を引き戸から引き離し過ぎて設置してしまうことも多く、住居スペースに無駄な部分が発生することになる。また、アウトセット方式とすると引き戸の可動域には、戸袋がないためにスライドしている引き戸に触れて居住者が転倒等を起こすことがあり、このようなことが起こらないように別途ガードパネル等を設置する必要があった。
【０００４】
室内壁面から一定の距離を維持して設置する収納家具が特許文献１に開示されている。特許文献１では、収納家具の天板を任意幅だけ後方に張り出す張り出し部を設け、張り出し部の端面を壁面に当接させて設置することで、収納家具を室内壁面から必要寸法だけ離間させて設置することを可能にするとしている。このようにすることにより、天板後端部と室内壁面との隙間から物品が落下することがなく、また、隙間にほこりが溜まることによる不衛生を回避することができるとしている。
【先行技術文献】
【特許文献】
【０００５】
【特許文献１】特開平８−２９４４２６号公報
【発明の概要】
【発明が解決しようとする課題】
【０００６】
しかしながら、前記隙間は上記のように室内壁面と収納家具との間にほこりが溜まることによる不衛生を回避するだけの狭いものであり、アウトセット引き戸を開口部に設置した場合、引き戸の引込に必要な隙間を別途あけて設置しなければならず、設置が悪い場合には、依然として住居スペースに無駄な部分が発生することになり、別途ガードパネルの設置も必要であった。
本発明の目的は、収納体を利用してこれを単に壁際に設置するだけで足るアウトセット引き戸の戸袋構造を提供することにある。
【課題を解決するための手段】
【０００７】
上記課題を解決するため、本発明における第１の発明は、例えば図５に示すように、戸袋構造１を次のように構成した。すなわち、
部屋の開口部２４に吊戸レール１０を介して設置されたアウトセット引き戸１４の戸袋構造１であって、
前記アウトセット引き戸１４と、
開口部２４に設置された前記アウトセット引き戸１４を吊り下げる吊戸レール１０と、
前記吊戸レール１０の上端部１４ｃよりも背丈が高く、アウトセット引き戸１４の戸尻側の壁面２８に沿って配設された収納体２とで構成され、
前記収納体２の天板４は、収納体２の幅方向又は奥行き方向に張り出しており、前記天板４の張り出した側の端面４ａは、前記吊戸レール１０を取り付けた壁面２８に当接し、且つ前記壁面２８と収納体２の側面２ａ又は背面２ｂとの間の間隔ｄが前記アウトセット引き戸１４を収納する幅に形成されることを特徴とする戸袋構造１である。
【０００８】
さらに、上記課題を解決するため本発明の第２の発明は、例えば図７に示すように、戸袋構造５を次のように構成した。すなわち、
部屋の開口部２４に吊戸レール１０を介して設置されたアウトセット引き戸１４の戸袋構造５であって、
前記アウトセット引き戸１４と、
開口部２４に設置された前記アウトセット引き戸１４を吊り下げる吊戸レール１０と、
前記吊戸レール１０の上端部１４ｃまでの背丈とほぼ同じ背丈を有し、アウトセット引き戸１４の戸尻側の壁面２８に沿って配設された収納体２とで構成され、
前記収納体２の天板４は、収納体２の幅方向に張り出しており、前記天板４の張り出した側の端面４ａは、前記吊戸レール１０の側面１０ａに当接し、且つ前記壁面２８と収納体２の側面２ａとの間の間隔ｗが、前記アウトセット引き戸１４を収納し、且つ収納体２の前扉６が開閉できる幅に形成されることを特徴とする戸袋構造５である。
【０００９】
さらに、上記課題を解決するため本発明の第３の発明は、戸袋構造１又は５を次のように構成した。すなわち、
前記アウトセット引き戸１４の戸尻部１４ｂ側において、前記アウトセット引き戸１４を収納できる間隔を設け、開口部２４と収納体２との間で露出した壁面２８に沿って該壁面２８を覆う袖壁１２を更に配置することを特徴とする前記第１又は第２の発明に記載の戸袋構造１又は５である。
【００１０】
第１の発明は、次のように作用する。壁面２８と収納体２の側面２ａ又は背面２ｂと延伸された天板４によって必要最小幅でアウトセット引き戸１４の戸袋２６が形成され、アウトセット引き戸１４の開閉時に該引き戸１４が両側の戸袋２６の壁に接触することなく安定した開閉動作をすることができる。
【００１１】
第２の発明は、次のように作用する。壁面２８と収納体２の側面２ａと延伸された天板４によって必要最小幅で、アウトセット引き戸１４の戸袋２６と収納体２の前扉６を開閉できる領域が形成され、アウトセット引き戸１４の開閉時に該引き戸１４が両側の戸袋２６の壁に接触することなく安定した開閉動作をすることができ、また、収納体２の前扉６の形状及び構成に拘わらず前扉６を開閉することができる。
【００１２】
第３の発明は、次のように作用する。アウトセット引き戸１４の戸尻部１４ｂ側に袖壁１２を収容体２と近接するように設置したことにより、引き戸の引き残しが発生しないようになり、見栄えをよくすることができる。
【発明の効果】
【００１３】
本発明によれば、部屋の開口部に隣接して収納体の側面を利用したアウトセット引き戸の戸袋構造を提供することができる。そのため、アウトセット引き戸の可動域にガードパネル等を設置する必要はなく、施工の手間やコストを削減することができる。また、戸袋構造は、アウトセット引き戸の戸袋を構成するだけでなく、収納体を有しているので、収納体内に衣服などを収納できる。加えて天板に壁面に当接する張り出し部を設けているので、天板と壁面との間に隙間がなく、隙間に物品が落下することがない。それ故、収納体天板上に物品の配置を可能とするなど、部屋空間の有効利用を実現している。
【００１４】
また、収納体側面と、収納体側面が対面する壁面とで構成された上記戸袋の幅に、収納体の前扉が、その形状及び構成に拘わらず開閉できる領域を加えた戸袋構造により、戸袋の開閉状況、収納体の前扉の形状及び構成に拘わらず、随時、収納体を利用できる戸袋構造を提供することができる。
【００１５】
また、袖壁を収容体と近接するように設置することで、アウトセット引き戸の引き残しの発生をなくし且つ見栄え向上に貢献している。
【図面の簡単な説明】
【００１６】
【図１】本発明における一実施形態を示す斜視図である。
【図２】本発明で用いるアウトセット引き戸と戸袋構造の一例を示す部分平面図である。
【図３】本発明で用いる収納体の一例を示す斜視図である。
【図４】本発明の一実施形態の組立手順を示す概略図である。
【図５】本発明における別の実施形態を示す斜視図である。
【図６】本発明におけるさらに別の実施形態を示す斜視図である。
【図７】本発明におけるさらに別の実施形態を示す斜視図である。
【図８】本発明におけるさらに別の実施形態の正面図である。
【図９】本発明で用いるアウトセット引き戸と戸袋構造の別の例を示す部分平面図である。
【発明を実施するための形態】
【００１７】
以下、本発明の一実施形態について図１から４によって説明する。図１は、本発明における一実施形態の戸袋構造１を示す斜視図で、開口部２４と設置される収納体２との間に壁面２８が露出する場合で、この場合はこの部分を覆う袖壁１２が用いられる。この図が示すように、本実施形態の戸袋構造１は、アウトセット引き戸１４と収納体２と、袖壁１２とで大略構成される。
【００１８】
アウトセット引き戸１４はフラッシュ構造の縦長長方形の板材で、戸先側中央に取手６が表裏に取り付けられている。このアウトセット引き戸１４の上端には開口部２４を吊戸レール１０に沿って開閉動作可能なように吊車４０を用いて吊設される。
本実施形態の代表的なアウトセット引き戸１４のサイズは、長さ９００〜１２００ｍｍ、高さ〜２０００ｍｍ、幅３０ｍｍ程度である。これに対して後述する本実施形態の収納体２の代表的なサイズは長さ７００ｍｍ、高さ〜２２００ｍｍ、幅６００ｍｍ程度である。また本実施形態の袖壁１２の代表的なサイズは長さ４００ｍｍ、高さ〜２２００ｍｍ、幅４０ｍｍ程度である。対応する開口部のサイズは、長さ８００〜１０００ｍｍ、高さ〜１９００ｍｍ程度である。これらのサイズについては、上記数値例に限定されるものではない。
【００１９】
開口部２４の上端部には、図示しない開口上枠が設置され、左右両側には開口縦枠２２、３０が設置されている。そして、開口部２４の直上にて、開口部２４が設けられている壁面２８には引き戸横枠２０が設けられ、引き戸横枠２０は開口部２４の戸尻側を越えて壁面２８の端まで伸びるように設置されている。引き戸横枠２０の下面には吊戸レール１０が壁面２８の端まで配設されている。吊戸レール１０の下面には長手方向全長に亘って図示しないレール溝が設けられており、吊戸レール１０内を吊車４０が走行するようになっている。開口部２４を越えた部分において、引き戸横枠２０上には後述するように幕板１８が配置される。
【００２０】
収納体２は、両側面２ａ、背面２ｂ、天板４、観音開きで前扉取手８を有する前扉６及び底板、必要に応じて内部に備えられる棚板などで構成されている。天板４は、図５又は図６のように、一方の側面２ａ側又は背面２ｂ側の端面４ａが該側面２ａ又は背面２ｂから張り出すように形成されている。この張り出し量をｄで示す（図３）。
【００２１】
図２は、アウトセット引き戸１４を収容した戸袋構造１の一例を示す部分平面図である。袖壁１２は例えば合板や石膏ボード或いは中密度繊維板のような縦長の板材が使用される。大きさは開口部２４の戸尻側開口端から収納体２の前面までの横幅で、縦は床面から後述する袖壁天板１２ａに至る大きさである。
【００２２】
次に、図４を用いて、本発明の戸袋構造１を組み立てる場合について説明する。
図４（Ａ）において、開口部２４の左右両側に開口縦枠２２、３０、開口上枠、引き戸横枠２０が開口部２４に設置される。引き戸横枠２０は、アウトセット引き戸１４の可動範囲全域をカバーするように壁面２８の端まで設置される。
【００２３】
この引き戸横枠２０に吊戸レール１０をネジ等で設置し、アウトセット引き戸１４の全重量を支えるため、引き戸横枠２０はネジ等で固定壁面２８に強固に固定される。
開口部２４領域以外の引き戸横枠２０には、その上部に引き戸横枠２０及び吊戸レール１０の保護及び見栄え向上のために幕板１８をネジ４２等で壁面２８に固定する。
幕板１８は図からわかるように細長い板材で、開口部２４の戸尻側端面から壁面２８の端まで設けられる。
【００２４】
床面側では、袖壁１２の床面での配置位置を固定するために、袖壁ガイド板１２ｂを床面にネジ４４等で固定する。袖壁ガイド板１２ｂは、アウトセット引き戸１４の開閉動作時に、吊戸レール１０に吊設されたアウトセット引き戸１４を引き戸１４の下端部分でガイドする機能を有することができる。袖壁ガイド板１２ｂの配置位置は後述するように袖壁１２の底部が床面と接する部位を袖壁１２の内側から固定する位置であり、袖壁１２と収納体２の側面２ａと天板４によって戸袋２６が構成されるように袖壁１２を床面に固定する部位である。換言すれば、壁面２８から離間した位置で、引き戸１４が引き込まれる間隔を以って床面に固定される。
【００２５】
アウトセット引き戸１４の上端部１４ｃの前後両端部には前述の吊車４０が設置され、引き戸横枠２０下面に取り付けられた吊戸レール１０に吊車４０を引っ掛けるように吊り下げて吊戸レール１０に沿って移動可能なように配置される（図４（Ｂ）、（Ｃ））。
次に、引き戸横枠２０の上側に袖壁天板１２ａをネジ４６等で壁面２８に固定する。袖壁天板１２ａは袖壁１２の横幅に等しい長さに形成された板材である。袖壁天板１２ａの配置位置は戸尻側の開口縦枠３０から収納体２の天板４の張り出し部の前端までの大きさで、袖壁１２の上端部が袖壁天板１２ａに固定され、前述の袖壁ガイド板１２ｂに袖壁１２の下端が固定される。
【００２６】
図４（Ｄ）において、戸尻側の開口縦枠３０に対向して袖壁キャップ３２が袖壁１２の開口側側面全長に亘って固定される。開口縦枠３０と袖壁キャップ３２との間には、引き戸１４が通過できる間隙が形成され、両者の対向面には引き戸１４に接触する長さのモヘア３４が前記間隙の全長に亘って取り付けられている（図２）。
【００２７】
図４（Ｆ）において、収納体２は、その天板４を幕板１８の上に位置するようにセットされ、天板４の張り出し部分の左端面４ａと背面２ｂが壁面２８に、それぞれ当接するように配設される。このとき、袖壁１２及び袖壁天板１２ａの収納体２側の側部１２ｃは、収納体２の正面左角部及び天板４の張り出し部分の正面左端部と当接し（但し、前扉６には接触せず、その開閉を損なわない（図２参照）。）、袖壁１２の内側面１２ｄと収納体２の左側の側面２ａがほぼ面位置で戸袋２６の１面を構成し、壁面２８と共に幅ｄの空間を有する戸袋構造１が完成する。
この時、引き戸１４と袖壁１２との関係は、引き戸１４を「戸袋２６」に引き込んだ時、取手１６が開口縦枠３０と袖壁キャップ３２に接触せず、指を挟まない程度になっており、開口部２４を閉じた時、引き戸１４の戸尻が開口縦枠３０と袖壁キャップ３２との間の間隙から離脱しないように形成されている。
【００２８】
上記のように、収納体２と開口部２４の戸尻側端部までの間は、袖壁１２を配置してアウトセット引き戸１４が露出しないようにしている。そして、袖壁１２と袖壁天板１２ａによって、収納体２とその天板４で構成された戸袋２６とほぼ同じ高さ、幅の空間を構成し、両者の空間を合わせて全体として戸袋２６を構成している。
【００２９】
以下に、図１を用いて、上記のように構成された戸袋構造１の使用方法について説明する。
利用者が、収納体２が配置されている部屋からアウトセット引き戸１４を開ける場合には、利用者は、その取手１６を戸尻方向に移動させることによって、アウトセット引き戸１４を開けることができる。このとき、アウトセット引き戸１４は、開口部２４以外は戸袋２６に覆われているためにアウトセット引き戸１４を完全に開ききるまで戸尻方向に移動させることができ、取手１６が袖壁キャップ３２と当接する手前の、指を挟まない地点が終点となる。袖壁キャップ３２及び開口縦枠３０には、アウトセット引き戸１４と面する部分の全長にモヘア３４が配置されているので、利用者は指を巻き込まれることはない。利用者がアウトセット引き戸１４を閉める場合には、利用者は、その取手１６を戸先方向に移動させることによって、アウトセット引き戸１４を閉めることができる。開口縦枠２２の引き戸当接面にはゴムやスポンジ等、衝撃を和らげるような素材が配置されているので、利用者が指を挟んだ場合などに被害を軽減することができる。
【００３０】
また、部屋の居住者は、収納体２を通常の収納家具として利用することが可能であり、前扉取手８を手前に引いて前扉６を開け、衣類や小物等を収納することができる。さらに、袖壁１２の存在により、壁面２８が顕れて見栄えが損なわれることはない。
【００３１】
本発明の他の実施例について図５によって説明する。上述した実施例と同様の説明については省略する。
図５に示す実施例は、収納体２が前記壁面２８を覆う大きさで、アウトセット引き戸１４と収納体２で戸袋構造１が構成される場合を示している。アウトセット引き戸１４を引き残しのないように開放した場合に、アウトセット引き戸１４の戸面のほぼ全体が収納体２の側面２ａが構成する戸袋に収納される場合には袖壁１２を必要とせず、アウトセット引き戸１４と収納体２で戸袋構造１が構成される。
【００３２】
したがって、上記実施例で袖壁１２を構成した袖壁天板１２ａ及び袖壁ガイド板１２ｂ、袖壁キャップ３２も不要となる。それ以外の構成要素は同じである。上記実施例で示した袖壁キャップ３２へのモヘア３４の設置については、戸袋構造１を構成する収納体２の側面２ａの戸尻部１４ｂ側の端部に設置してもよい。
【００３３】
上記実施例の組立については、図４（Ｃ）から図４（Ｄ）で示した袖壁１２を設置する工程は不要であるが、他の工程は同じである。
【００３４】
次に、本発明の第３の実施例について図６によって説明する。上述した２つの実施例と同様の説明については省略する。
図６に示す実施例は、第２の実施例の収納体２の配置を変更したものであり、収納体２の側面２ａで戸袋構造１を構成する代わりに、収納体２の背面２ｂで戸袋構造１を構成する。したがって、天板４の背面２ｂ側が延伸され、その端面４ａが壁面２８ａと当接する。
【００３５】
アウトセット引き戸１４を引き残しのないように開放した場合に、アウトセット引き戸の戸面のほぼ全体が収納体２の背面２ｂが構成する戸袋に収納される場合には袖壁１２を必要とせず、アウトセット引き戸１４と収納体２で戸袋構造１が構成される。
【００３６】
次に、本発明の第４の実施例について図７によって説明する。上述した３つの実施例と同様の説明については省略する。
図７に示す実施例は、図５に示した第２の実施例の収納体２の背丈と配置を変更したものである。
収納体２の背丈は吊戸レール１０を設置した引き戸横枠２０の上端部と同じ高さであり、収納体２の壁面２８側の天板４の端面４ａが、引き戸横枠２０と吊戸レール１０の側面１０ａに当接している。端面４ａと引き戸横枠２０が当接している領域には、天板４の張り出し部と引き戸横枠２０の上側全面に幕板１８を設置している。壁面２８と収納体２の側面２ａは、その間にアウトセット引き戸１４を収納し、且つ収納体２の前扉６が少なくとも側面２ａと平行になるまで開くことができる幅ｗとなるように天板４の張り出し幅を設定している。
【００３７】
図８に示すように、上記実施例において吊戸レール１０の幅がアウトセット引き戸１４の幅よりも大きい場合には、天板４の張り出し量は、前扉６が少なくとも側面２ａと平行になるまで開くことができる幅である。
【００３８】
また、図９に示すように、上記実施例において袖壁１２を有する場合には、天板４の張り出し量は、前扉６が、袖壁１２と接触せず、少なくとも側面２ａと平行になるまで開くことができる幅である。
【００３９】
上記実施例の組立については、幕板１８を図４（Ａ）で設置せず、図４（Ｆ）において収納体２を設置し、天板４の張り出し部端面４ａを引き戸横枠２０及び吊戸レール１０の側面１０ａに当接させた後に、幕板１８を用いて収納体２の天板４と引き戸横枠２０及び吊戸レール１０を固定する。幕板１８は、開口部２４の戸尻部側端部から壁面２８の端まで配置し、幕板１８の上面よりネジ等で引き戸横枠２０及び天板４の上面と固定する。
その他に、当業者が想定できる範囲で種々の変更を行えることは勿論である。
【符号の説明】
【００４０】
１：戸袋構造、２：収納体、２ａ：側面、２ｂ：背面、４：天板、４ａ：端面、５：戸袋構造、６：前扉、８：前扉取手、１０：吊戸レール、１０ａ：側面、１２：袖壁、１２ａ：袖壁天板、１２ｂ：袖壁ガイド板、１２ｃ：側部、１２ｄ：内側面、１４：アウトセット引き戸、１４ａ：戸先部、１４ｂ：戸尻部、１４ｃ：上端部、１６：取手、１８：幕板、２０：引き戸横枠、２２：開口縦枠、２４：開口部、２６：戸袋、２８：壁面、３０：開口縦枠、３２：袖壁キャップ、３４：モヘア、４０：吊車、４２、４４、４６、４８、５０：ネジ、ｄ：幅、ｗ：幅
【図１】
0006270806.tif 000002
【図２】
0006270806.tif 000003
【図３】
0006270806.tif 000004
【図４】
0006270806.tif 000005
【図５】
0006270806.tif 000006
【図６】
0006270806.tif 000007
【図７】
0006270806.tif 000008
【図８】
0006270806.tif 000009
【図９】
0006270806.tif 000010